(57)【要約】【課題】袋状部材に接触させるだけで袋状部材が容易に開口する袋状部材開封装置及びこれを用いた袋状部材の開封方法を提供する。【解決手段】開口端１４Ａを有する袋状部材１４を収納又は支持するための収納部１２又はその近傍に設置するための設置部１６と、袋状部材１４の一方側の面１４Ｘを接触させた状態で袋状部材１４を引き出すことにより袋状部材１４の開口端１４Ａにずれ２０を生じさせる接触部１８と、を有する袋状部材開封装置１０及びこれを用いた袋状部材の開封方法である。【選択図】      図４
2017109758.tif 000002
【特許請求の範囲】
【請求項１】
開口端を有する袋状部材を収納又は支持するための収納部又はその近傍に設置するための設置部と、
前記袋状部材の一方側の面を接触させた状態で前記袋状部材を引き出すことにより前記袋状部材の前記開口端にずれを生じさせる接触部と、
を有することを特徴とする袋状部材開封装置。
【請求項２】
前記袋状部材は、ビニール素材で構成され、
前記接触部は、ゴム類、シリコンゴム、プラスチックゴム、ウレタンゲル、ゴム類、エラストマ、シリコンゲル、クリスタルゲル、高粘着カゲル、発泡シリコン、発泡ゴム、発泡樹脂などの発泡体、ウレタン類のいずれかで構成され又は少なくとも２つ以上混合させて構成され、あるいはこれらに類似する材料で構成されていることを特徴とする請求項１に記載の袋状部材開封装置。
【請求項３】
前記接触部は、前記袋状部材に当接する角部を有することを特徴とする請求項１又は２に袋状部材開封装置。
【請求項４】
前記接触部は、前記袋状部材に当接し、弾性変形可能な突片部を有することを特徴とする請求項１又は２に記載の袋状部材開封装置。
【請求項５】
前記設置部は、磁石を有することを特徴とする請求項１乃至４のいずれか１項に袋状部材開封装置。
【請求項６】
前記設置部は、所定の角度で開く一対のベース部と、前記ベース部の開き角度を調整する角度調整部と、を有することを特徴とする請求項１乃至５のいずれか１項に記載の袋状部材開封装置。
【請求項７】
前記角度調整部は、一方の前記ベース部に設けられた挿入部と、他方の前記ベース部に設けられ前記挿入部が挿入される孔部と、で構成されたことを特徴とする請求項６に記載の袋状部材開封装置。
【請求項８】
設置部と接触部とを有する袋状部材開封装置を用いて袋状部材を開封する袋状部材の開封方法であって、
前記袋状部材を収納又は支持するための収納部又はその近傍に前記設置部により設置して、前記袋状部材の一方側の面を前記接触部に接触させた状態で前記袋状部材を引き出すことにより前記袋状部材の開口端にずれを生じさせることを特徴とする袋状部材の開封方法。
【発明の詳細な説明】
【技術分野】
【０００１】
本発明は、袋状部材を接触させるだけで当該袋状部材が開封し得る袋状部材開封装置及びこれを用いた袋状部材の開封方法に関する。
【背景技術】
【０００２】
従来、例えばスーパーマーケット等には、商品を入れるためのビニール袋が設置されている。通常、ビニール袋はロール状に巻回された状態で設置されており、使用者が必要な分だけ引き出し、切断して使用する。このとき、ビニール袋の開口端があたかも閉じているかのように重なっていることが多く、指で開けようとしてもうまくいかないときがある。
【０００３】
設置場所によっては、雑巾、タオル、布などに水分を浸み込ませたものを設置されており、使用者は水分を指につけてビニール袋の開口端を開ける。
【先行技術文献】
【特許文献】
【０００４】
【特許文献１】特開２００５−２７１９４５号公報
【発明の概要】
【発明が解決しようとする課題】
【０００５】
しかしながら、雑巾、タオル、布などに水分を浸み込ませたものは、不特定多数の人が使用するため、不衛生であり、長時間設置しておくと水分が蒸発して再度、水分を補給する作業を行い、又は新しいものに交換する手間が発生していた。
【０００６】
そこで、本発明は、上記問題に鑑み、袋状部材に接触させるだけで袋状部材が容易に開口する袋状部材開封装置を提供することを目的とする。
【課題を解決するための手段】
【０００７】
第１の発明は、開口端を有する袋状部材を収納又は支持するための収納部又はその近傍に設置するための設置部と、前記袋状部材の一方側の面を接触させた状態で前記袋状部材を引き出すことにより前記袋状部材の前記開口端にずれを生じさせる接触部と、を有する袋状部材開封装置であることを特徴とする。
【０００８】
この場合、前記袋状部材は、ビニール素材で構成され、前記接触部は、ゴム類、シリコンゴム、プラスチックゴム、ウレタンゲル、ゴム類、エラストマ、シリコンゲル、クリスタルゲル、高粘着カゲル、発泡シリコン、発泡ゴム、発泡樹脂などの発泡体、ウレタン類のいずれかで構成され又は少なくとも２つ以上混合させて構成され、あるいはこれらに類似する材料で構成されていることが好ましい。
【０００９】
この場合、前記接触部は、前記袋状部材に当接する角部を有することが好ましい。
【００１０】
この場合、前記接触部は、前記袋状部材に当接し、弾性変形可能な突片部を有することが好ましい。
【００１１】
この場合、前記設置部は、磁石を有することが好ましい。
【００１２】
この場合、前記設置部は、所定の角度で開く一対のベース部と、前記ベース部の開き角度を調整する角度調整部と、を有することが好ましい。
【００１３】
この場合、前記角度調整部は、一方の前記ベース部に設けられた挿入部と、他方の前記ベース部に設けられ前記挿入部が挿入される孔部と、で構成されたことが好ましい。
【００１４】
第２の発明は、設置部と接触部とを有する袋状部材開封装置を用いて袋状部材を開封する袋状部材の開封方法であって、前記袋状部材を収納又は支持するための収納部又はその近傍に前記設置部により設置して、前記袋状部材の一方側の面を前記接触部に接触させた状態で前記袋状部材を引き出すことにより前記袋状部材の開口端にずれを生じさせることを特徴とする。
【発明の効果】
【００１５】
第１の発明によれば、設置部により開口端を有する袋状部材を収納又は支持するための収納部又はその近傍に設置するとともに、接触部により袋状部材の一方側の面を接触させた状態で袋状部材を引き出すことにより袋状部材の開口端にずれを発生させる。これにより、袋状部材の開口端を容易に開口させることができる。この結果、袋状部材を開封させるための手段を設ける必要がない。
【００１６】
また、袋状部材がビニール素材で構成され、接触部がゴム類、シリコンゴム、プラスチックゴム、ウレタンゲル、ゴム類、エラストマ、シリコンゲル、クリスタルゲル、高粘着カゲル、発泡シリコン、発泡ゴム、発泡樹脂などの発泡体、ウレタン類のいずれかで構成され又は少なくとも２つ以上混合させて構成され、あるいはこれらに類似する材料で構成されていることにより、接触部と袋状部材との間に発生する摩擦力が大きくなり、開口端が開き易くなる。
【００１７】
また、接触部が袋状部材に当接する角部を有することにより、接触部の袋状部材に対する圧力を局所的に高めることができ、袋状部材の開口端にずれが生じ易くなる。
【００１８】
また、接触部が袋状部材に当接する突片部を有することにより、接触部の袋状部材に対する圧力を局所的に高めることができるとともに、突片部が弾性変形して弾性エネルギを蓄積し、その弾性エネルギを解放するときに袋状部材をかき出すように動く。これにより、開口端にずれが生じ易くなる。
【００１９】
また、設置部が磁石を有することにより、磁力で袋状部材開封装置が収納部又はその近傍に付着される。これにより、袋状部材開封装置の収納部又はその近傍に対する付着力が高くなる。
【００２０】
また、設置部が、所定の角度で開く一対のベース部と、ベース部の開き角度を調整する角度調整部と、を有しているため、ベース部の開き角度調整が可能になる。これにより、収納部の形状に合わせて袋状部材開封装置を設置することができる。
【００２１】
また、角度調整部が、一方のベース部に設けられた挿入部と、他方のベース部に設けられ挿入部が挿入される孔部と、で構成されたことにより、ベース部の開き角度を容易に調整することができる。
【００２２】
さらに、袋状部材を収納するための収納部又はその近傍に前記設置部により設置して、袋状部材の一方側の面を接触部に接触させた状態で袋状部材を引き出すことにより袋状部材の開口端にずれを生じさせ、開口端を容易に開くことができる。
【図面の簡単な説明】
【００２３】
【図１】本発明の袋状部材開封装置の第１の設置例を示す図である。
【図２】本発明の袋状部材開封装置の第２の設置例を示す図である。
【図３】本発明の袋状部材開封装置の第３の設置例を示す図である。
【図４】本発明の第１実施形態に係る袋状部材開封装置の構成を示す図である。
【図５】本発明の第２実施形態に係る袋状部材開封装置の構成を示す図である。
【図６】本発明の第３実施形態に係る袋状部材開封装置の構成を示す図である。
【図７】本発明の第４実施形態に係る袋状部材開封装置の構成を示す図である。
【図８】本発明の第４実施形態に係る袋状部材開封装置の角度調整部の一例を示した図である。
【図９】本発明の第４実施形態に係る袋状部材開封装置の変形例を示した図である。
【発明を実施するための形態】
【００２４】
先ず、本発明の第１実施形態に係る袋状部材開封装置及び袋状部材開封装置を用いた袋状部材の開封方法について説明する。
【００２５】
先に、袋状部材開封装置が設けられる収納部について説明する。『収納部』の定義は、袋状部材が適宜巻回された状態で収納又は保持するものであり、特に袋状部材が完全に収納される構成だけではなく、袋状部材を外部に露出した状態で単に支持する構成のものも含まれる。ただし、説明の便宜上、これらの全ての構成を含めた概念として、『収納部』と称する。
【００２６】
図１から図３に示すように、第１実施形態に係る袋状部材開封装置１０は、冷蔵庫、台、箱、巻取装置などの収納部１２に設置されて使用される態様である。収納部１２は、袋状部材１４が適宜巻回された状態で収納又は保持するものである。
【００２７】
図１では、袋状部材開封装置１０が収納部１２である支持装置のロール下方に設置されている構成を示す。図２では、袋状部材開封装置１０が収納部１２である支持装置のロール上方に設置されている構成を示す。図３では、袋状部材開封装置１０が収納部１２である箱の開口部に装着されている構成を示す。なお、ロールとは、袋状部材が何重にも巻回されて得られたものを意味する。
【００２８】
図４に示すように、第１実施形態に係る袋状部材開封装置１０は、開口端を有する袋状部材１４を収納又は支持するための収納部１２又はその近傍に設置するための設置部１６と、袋状部材１４の一方側の面１４Ｘを接触させた状態で袋状部材１４を引き出すことにより袋状部材１４の開口端１４Ａにずれ２０を生じさせる接触部１８と、を有している。
【００２９】
袋状部材１４の開口端１４Ａのずれ２０は、たとえば、袋状部材１４の一方側の面１４Ｘが他方側の面１４Ｙに対して相対移動することにより生じ得る。
【００３０】
設置部１６は、例えば、収納部１２の一部が挿入される挿入開口部２２を有している。挿入開口部２２に収納部１２の一部が挿入又は圧入されて袋状部材開封装置１０が収納部１２に設置される。
【００３１】
なお、設置部１６は、挿入開口部２２に収納部１２の一部が挿入される以外の手段により収納部１２又はその近傍に設置されてもよい。
【００３２】
また、設置部１６の寸法及び形状等についても、特に限定されるものではない。
【００３３】
接触部１８は、収納部１２又はその近傍に設置された状態において収納部１２の外側向けて露出している。特に、接触部１８は袋状部材１４の引出進路上に位置していることが好ましい。このため、収納部１２に収納又は保持された袋状部材１４が収納部１２から引き出されるときに、接触部１８が袋状部材１４の一方側の面１４Ｘに接触する。そして、当該接触状態を維持したまま、袋状部材１４を引き出すことにより、収納部１２の一方側の面１４Ｘと接触部１８との間に摩擦力が発生して、それが引出方向と逆方向に作用するため、袋状部材１４の一方側の面１４Ｘと他方側の面１４Ｙとが相対移動する。これにより、袋状部材１４の開口端１４Ａが開かれる。
【００３４】
接触部１８は、ゴム類、シリコンゴム、プラスチックゴム、ウレタンゲル、ゴム類、エラストマ、シリコンゲル、クリスタルゲル、高粘着カゲル、発泡シリコン、発泡ゴム、発泡樹脂などの発泡体、ウレタン類のいずれかで構成され又は少なくとも２つ以上混合させて構成され、あるいはこれらに類似する材料で構成されていることが好ましい。これにより、接触部１８と袋状部材１４との間に発生する摩擦力が大きくなり、開口端１４Ａが開き易くなる。
【００３５】
設置部１６と接触部１８は、一体的に形成されている構成でもよく、又は別体のものを接着、係合などの何らかの結合手段で組み合わせて構成してもよい。
【００３６】
ここで、袋状部材１４は、例えば、ビニール袋が想定される。スーパーマーケットなどでは、ビニール袋が巻回された状態で設置されており、袋状部材１４の開口端があたかも閉じているかのように重なった状態になっている。そこで、本発明の袋状部材開封装置１０により、袋状部材１４の開口端１４Ａにずれ２０を生じさせることにより、開口端１４Ａが開き易くなる。この結果、使用者の手間を省き、水分を含んだ雑巾などの設置作業を省略することができる。
【００３７】
接触部１８の設置部１６に対する位置関係は、本実施形態では一例を示しただけであり、接触部１８が設置部１６の上側、下側、左右両側いずれも可能であり、特に限定されるものではない。
【００３８】
なお、設置部１６及び接触部１８の寸法及び形状等についても、特に限定されるものではない。
【００３９】
次に、第１実施形態の袋状部材開封装置１０の作用について説明する。
【００４０】
図１及び図４に示すように、設置部１６が収納部１２又はその近傍に設置された状態で、袋状部材１４がその移動軌跡上又はその近傍に接触部１８が配置された状態になる。
【００４１】
ここで、袋状部材１４は、例えば、ビニール袋を例にとれば自明なように、開口端１４Ａが形成されているものの、開口端１４Ａが揃った状態で塞がれている。
【００４２】
当該袋状部材１４が収納部１２から引き出されると、やがて、袋状部材１４の一方側の面１４Ｘが接触部１８に接触する。袋状部材１４の一方側の面１４Ｘが接触部１８に接触した状態で、袋状部材１４をそのまま引き出されると、接触部１８と袋状部材１４の一方側の面１４Ｘとの間に摩擦力が発生し、当該一方側の面１４Ｘが引出方向とは反対方向に引っ張られ、他方側の面１４Ｙに対して相対移動する。これにより、当初、開口端１４Ａにおいて一方側の面１４Ｘの端部と他方側の面１４Ｙの端部とが揃っていたが、前記相対移動により、一方側の面１４Ｘの端部が他方側の面１４Ｙの端部に対して移動してずれ２０が発生する。この結果、開口端１４Ａが開口し、隙間が形成され得る。
【００４３】
特に、袋状部材１４がビニール素材で構成され、接触部１８がゴム類、シリコンゴム、プラスチックゴム、ウレタンゲル、ゴム類、エラストマ、シリコンゲル、クリスタルゲル、高粘着カゲル、発泡シリコン、発泡ゴム、発泡樹脂などの発泡体、ウレタン類のいずれかで構成され又は少なくとも２つ以上混合させて構成され、あるいはこれらに類似する材料で構成されていることにより、接触部１８と袋状部材１４との間に発生する摩擦力が大きくなり、開口端１４Ａが開き易くなる。
【００４４】
ここで、設置部１６と接触部１８は、硬度が異なる材質で構成されていてもよい。具体的には、設置部１６は高硬度の材質で構成され、接触部１８は低硬度の材質で構成されている。
【００４５】
ここで、高硬度の材質の硬度は、例えば、４０度〜１００度の範囲を想定する。なお、ゴムで構成されている場合には、ゴム硬度が指標になる。
【００４６】
また、低硬度の材質の硬度は、例えば、１度〜５０度の範囲、特に、１度〜３０度の範囲を想定する。なお、ゴムで構成されている場合には、ゴム硬度が指標になる。
【００４７】
なお、設置部１６と接触部１８の材質は、第１実施形態で説明したとおりであるため、重複説明は省略する。
【００４８】
これによれば、設置部１６が高硬度の材質で構成されているため、収納部１２又はその近傍に対する設置強度を高めることができる。これにより、袋状部材開封装置１０が収納部１２又はその近傍から容易に外れない。
【００４９】
また、接触部１８が低硬度の材質で構成されているため、袋状部材１４に対して馴染み易くなる。これにより、接触部１８と袋状部材１４との間に発生する摩擦力が高くなり、開口端１４Ａにおいてずれ２０の発生を促進できる。この結果、開口端１４Ａが開き易くなる。
【００５０】
製法として、例えば、単一の型を用いて高硬度の材質の材料と低硬度の材質の材料を用いて成形しつつ、両者を熱圧着することにより一体形成することができる。なお、ゴムで構成する場合には、例えば、ゴムシートが用いられる。
【００５１】
また、例えば、別々の型を用いて高硬度の材質の材料と低硬度の材質の材料を用いてそれぞれ成形しつつ、その後、両者を例えば熱圧着することにより一体形成することも可能である。
【００５２】
また、例えば、各種材料を半流動体状にしたものを型に流し込み、一体的に成形してもよい。
【００５３】
また、例えば、別々の型を用いて高硬度の材質の材料と低硬度の材質の材料を用いてそれぞれ成形しつつ、両者を接着剤、凸部と凹部等により接着、係合等により組立てるようにしてもよい。
【００５４】
次に、本発明の第２実施形態に係る袋状部材開封装置について説明する。なお、第１実施形態に係る袋状部材開封装置の構成と重複する構成については、説明を適宜省略する。
【００５５】
図５に示すように、第２実施形態に係る袋状部材開封装置１０は、設置部１６又は接触部１８のいずれか一方又は両方に、磁石２４が設けられている。
【００５６】
なお、磁石２４の個数、形状、配置位置、磁力の大きさ等については、適宜設定でき、特に限定されるものではない。
【００５７】
なお、挿入開口部については、適宜設けてもよい。
【００５８】
また、接触部１８の表面に、単数又は複数の凸部２６を設けてもよい。
【００５９】
凸部２６の大きさ、形状、位置、個数等については、適宜設定することができ、特に限定されない。
【００６０】
なお、凸部２６に替えて又は凸部２６とともに、凹部を形成してもよい。
【００６１】
次に、第２実施形態に係る袋状部材開封装置１０の作用について説明する。
【００６２】
袋状部材開封装置１０に磁石２４を設けたことにより、袋状部材開封装置１０を収納部１２に対して磁力で装着することができる。
【００６３】
接触部１８の表面に凸部２６を設けたことにより、袋状部材１４の一方側の面１４Ｘと接触部１８との間に発生し得る摩擦力が局所的に大きくなり、開口端１４Ａにずれ２０の発生を促進させる。
【００６４】
次に、本発明の第３実施形態に係る袋状部材開封装置について説明する。なお、第１実施形態及び第２実施形態に係る袋状部材開封装置の構成と重複する構成については、説明を適宜省略する。
【００６５】
図６に示すように、第３実施形態に係る袋状部材開封装置１０は、接触部１８に、単数又は複数の突片部２８が設けられている。１つの突片部２８は、単数又は複数の角度２８Ｒを有している。突片部２８は、所定の圧力又は応力を受けたときに弾性変形する弾性部材である。
【００６６】
なお、設置部１６又は接触部１８のいずれか一方又は両方に、磁石２４を設けてもよいが、これに限定されるものではない。
【００６７】
第３実施形態に係る袋状部材開封装置１０によれば、突片部２８が袋状部材１４の一方側の面１４Ｘに接触した状態で袋状部材１４が引き出され続けたときに、両者の間に摩擦力が発生する。このとき、突片部２８の角度２８Ｒが袋状部材１４の一方側の面１４Ｘに押圧するため、摩擦力が局所的に高くなる。これにより、袋状部材１４の一方側の面１４Ｘの他方側の面１４Ｙに対する相対移動を促進させる。
【００６８】
特に、突片部２８が摩擦力の反作用を受けて弾性変形すると、突片部２８に弾性エネルギが蓄積する。突片部２８に蓄積された弾性エネルはやがて発散され、突片部２８が袋状部材１４の一方側の面１４Ａをかき出す作用を及ぼす。これにより、開口端１４Ａでのずれ２０が発生し易くなり、開口端１４Ａが一層、開き易くなる。
【００６９】
次に、本発明の第４実施形態に係る袋状部材開封装置について説明する。なお、第１から第３実施形態に係る袋状部材開封装置の構成と重複する構成については、説明を適宜省略する。
【００７０】
図７に示すように、第４実施形態に係る袋状部材開封装置１０では、接触部１８が、所定の角度で開く一対のベース部３０と、各ベース部３０の開き角度を調整する角度調整部３２と、を有する。
【００７１】
各ベース部３０には、袋状部材１４に接触し得る単数又は複数の突片部３４が設けられている。各突片部３４は、単数又は複数の角部３４Ｒを有し、全体が弾性変形可能なように形成されている。
【００７２】
なお、図９に示すように、突片部３４に替えて、単数又は複数の凸部３８を設けてもよい。凸部３８は、角度を有していても、あるいは湾曲状に形成されていてもよい。
【００７３】
各ベース部３０には、設置部１６としての引掛部３６が設けられている。引掛部３６が収納部１２又はその近傍に係合することにより、袋状部材開封装置１０が収納部１２又はその近傍に設けられている。
【００７４】
なお、引掛部３６の形状、個数、設置位置及び材質等は、特に限定されるものではない。
【００７５】
角度調整部３２は、各ベース部３０の開き角度を調整する。具体的には、図８に示すように、角度調整部３２は、一方のベース部３０に設けられた挿入部４０と、他方のベース部３０に設けられ挿入部４０が挿入される孔部４２と、で構成されている。
【００７６】
挿入部４０が孔部４２に挿入されることにより、各ベース部３０が組み付けられるとともに、挿入部４０の軸回りに孔部４２が回動することにより、各ベース部３０の開き角度を容易に調整することができる。
【００７７】
第４実施形態に係る袋状部材開封装置１０によれば、各ベース部３０の開き角度を調整することができるため、収納部１２の形状や設計に合わせて引掛部３６を収納部１２に引っ掛けることができる。この結果、袋状部材開封装置１０の設置自由度又は設計自由度が高くなる。
【００７８】
なお、突片部３４が袋状部材１４の一方側の面１４Ｘに当接することにより、袋状部材１４の開口端１４Ａにずれ２０を生じさせる効果は、上記第４実施形態と同様であるため、説明を省略する。
【００７９】
なお、上記した実施形態及び実施例は、本発明の一態様を示したに過ぎず、本発明がこれに限られるものではない。本実施形態及び実施例に対する設計変更程度の差異は、当然に、本発明の技術的思想の範囲内に含まれる。
【符号の説明】
【００８０】
１０    袋状部材開封装置
１２    収納部
１４    袋状部材
１４Ａ  開口端
１６    設置部
１８    接触部
２０    ずれ
２２    挿入開口部
２４    磁石
２６    凸部
２８    突片部
３０    ベース部
３２    角度調整部
３４    突片部
３６    引掛部
３８    凸部
４０    挿入部
４２    孔部
【図１】
2017109758.tif 000003
【図２】
2017109758.tif 000004
【図３】
2017109758.tif 000005
【図４】
2017109758.tif 000006
【図５】
2017109758.tif 000007
【図６】
2017109758.tif 000008
【図７】
2017109758.tif 000009
【図８】
2017109758.tif 000010
【図９】
2017109758.tif 000011
【手続補正書】
【提出日】平成28年3月15日(2016.3.15)
【手続補正１】
【補正対象書類名】特許請求の範囲
【補正対象項目名】全文
【補正方法】変更
【補正の内容】
【特許請求の範囲】
【請求項１】
開口端を有する袋状部材を収納又は支持するための収納部又はその近傍に、設置するための設置部と、
前記設置部の少なくとも一部に形成され、前記収納部側の突出部を挿入して前記収納部に装着可能とする挿入開口部と、
前記袋状部材の一方側の面を接触させた状態で前記袋状部材を引き出すことにより前記袋状部材の前記開口端にずれを生じさせる接触部と、
を有する袋状部材開封装置であって、
前記袋状部材が前記収納部から引き出されるときに、前記接触部が前記袋状部材の一方側の面に接触するとともに、当該接触状態を維持したまま、前記袋状部材が引き出されることにより、前記袋状部材の一方側の面と前記接触部との間に前記袋状部材の引出方向とは逆方向に作用する摩擦力が発生して、前記袋状部材の一方側の面と他方側の面とが相対移動して前記開口端が開口するこを特徴とする袋状部材開封装置。
【請求項２】
開口端を有する袋状部材を収納又は支持するための収納部又はその近傍に、設置するための設置部と、
前記設置部の少なくとも一部に設けられ、前記収納部側の突出部と係合して前記収納部に装着可能とする引掛部と、
前記袋状部材の一方側の面を接触させた状態で前記袋状部材を引き出すことにより前記袋状部材の前記開口端にずれを生じさせる接触部と、
を有する袋状部材開封装置であって、
前記袋状部材が前記収納部から引き出されるときに、前記接触部が前記袋状部材の一方側の面に接触するとともに、当該接触状態を維持したまま、前記袋状部材が引き出されることにより、前記袋状部材の一方側の面と前記接触部との間に前記袋状部材の引出方向とは逆方向に作用する摩擦力が発生して、前記袋状部材の一方側の面と他方側の面とが相対移動して前記開口端が開口することを特徴とする袋状部材開封装置。
【請求項３】
前記袋状部材は、ビニール素材で構成され、
前記接触部は、ゴム類、シリコンゴム、プラスチックゴム、ウレタンゲル、ゴム類、エラストマ、シリコンゲル、クリスタルゲル、高粘着カゲル、発泡シリコン、発泡ゴム、発泡樹脂などの発泡体、ウレタン類のいずれかで構成され又は少なくとも２つ以上混合させて構成され、あるいはこれらに類似する材料で構成されていることを特徴とする請求項１又は２に記載の袋状部材開封装置。
【請求項４】
前記接触部は、前記袋状部材に当接する角部を有することを特徴とする請求項１乃至３のいずれか１項に袋状部材開封装置。
【請求項５】
前記接触部は、前記袋状部材に当接し、弾性変形可能な突片部を有することを特徴とする請求項１乃至４のいずれか１項に記載の袋状部材開封装置。
【請求項６】
前記設置部は、磁石を有することを特徴とする請求項１乃至５のいずれか１項に袋状部材開封装置。
【請求項７】
前記設置部は、所定の角度で開く一対のベース部と、前記ベース部の開き角度を調整する角度調整部と、を有することを特徴とする請求項２乃至５のいずれか１項に記載の袋状部材開封装置。
【請求項８】
前記角度調整部は、一方の前記ベース部に設けられた挿入部と、他方の前記ベース部に設けられ前記挿入部が挿入される孔部と、で構成されたことを特徴とする請求項７に記載の袋状部材開封装置。
【手続補正２】
【補正対象書類名】明細書
【補正対象項目名】０００７
【補正方法】変更
【補正の内容】
【０００７】
第１の発明は、開口端を有する袋状部材を収納又は支持するための収納部又はその近傍に、設置するための設置部と、前記設置部の少なくとも一部に形成され、前記収納部側の突出部を挿入して前記収納部に装着可能とする挿入開口部と、前記袋状部材の一方側の面を接触させた状態で前記袋状部材を引き出すことにより前記袋状部材の前記開口端にずれを生じさせる接触部と、を有する袋状部材開封装置であって、前記袋状部材が前記収納部から引き出されるときに、前記接触部が前記袋状部材の一方側の面に接触するとともに、当該接触状態を維持したまま、前記袋状部材が引き出されることにより、前記袋状部材の一方側の面と前記接触部との間に前記袋状部材の引出方向とは逆方向に作用する摩擦力が発生して、前記袋状部材の一方側の面と他方側の面とが相対移動して前記開口端が開口することを特徴とする。
第２の発明は、開口端を有する袋状部材を収納又は支持するための収納部又はその近傍に、設置するための設置部と、前記設置部の少なくとも一部に設けられ、前記収納部側の突出部と係合して前記収納部に装着可能とする引掛部と、前記袋状部材の一方側の面を接触させた状態で前記袋状部材を引き出すことにより前記袋状部材の前記開口端にずれを生じさせる接触部と、を有する袋状部材開封装置であって、前記袋状部材が前記収納部から引き出されるときに、前記接触部が前記袋状部材の一方側の面に接触するとともに、当該接触状態を維持したまま、前記袋状部材が引き出されることにより、前記袋状部材の一方側の面と前記接触部との間に前記袋状部材の引出方向とは逆方向に作用する摩擦力が発生して、前記袋状部材の一方側の面と他方側の面とが相対移動して前記開口端が開口することを特徴とする。
【手続補正３】
【補正対象書類名】明細書
【補正対象項目名】００１５
【補正方法】変更
【補正の内容】
【００１５】
本発明によれば、設置部により開口端を有する袋状部材を収納又は支持するための収納部又はその近傍に設置するとともに、接触部により袋状部材の一方側の面を接触させた状態で袋状部材を引き出すことにより袋状部材の開口端にずれを発生させる。これにより、袋状部材の開口端を容易に開口させることができる。この結果、袋状部材を開封させるための手段を設ける必要がない。
【手続補正４】
【補正対象書類名】明細書
【補正対象項目名】００３３
【補正方法】変更
【補正の内容】
【００３３】
接触部１８は、収納部１２又はその近傍に設置された状態において収納部１２の外側向けて露出している。特に、接触部１８は袋状部材１４の引出進路上に位置していることが好ましい。このため、収納部１２に収納又は保持された袋状部材１４が収納部１２から引き出されるときに、接触部１８が袋状部材１４の一方側の面１４Ｘに接触する。そして、当該接触状態を維持したまま、袋状部材１４を引き出すことにより、袋状部材１４の一方側の面１４Ｘと接触部１８との間に摩擦力が発生して、それが引出方向と逆方向に作用するため、袋状部材１４の一方側の面１４Ｘと他方側の面１４Ｙとが相対移動する。これにより、袋状部材１４の開口端１４Ａが開かれる。
【手続補正書】
【提出日】平成28年7月3日(2016.7.3)
【手続補正１】
【補正対象書類名】特許請求の範囲
【補正対象項目名】全文
【補正方法】変更
【補正の内容】
【特許請求の範囲】
【請求項１】
開口端を有する袋状部材を収納又は支持するための収納部又はその近傍に設置するための設置部と、
前記設置部の少なくとも一部に形成され、前記収納部側の突出部を挿入して前記収納部に装着可能とする挿入開口部と、
前記袋状部材の一方側の面を接触させた状態で前記袋状部材を引き出すことにより前記袋状部材の前記開口端にずれを生じさせる接触部と、
を有する袋状部材開封装置であって、
前記設置部は、高硬度（例えば４０度〜１００度）の材質で構成され、
前記接触部は、低硬度（例えば１度〜５０度）の材質で構成され、
前記袋状部材が前記収納部から引き出されるときに、前記接触部が前記袋状部材の一方側の面に接触するとともに、当該接触状態を維持したまま、前記袋状部材が引き出されることにより、前記袋状部材の一方側の面と前記接触部との間に前記袋状部材の引出方向とは逆方向に作用する摩擦力が発生して、前記袋状部材の一方側の面と他方側の面とが相対移動して前記開口端が開口することを特徴とする袋状部材開封装置。
【請求項２】
開口端を有する袋状部材を収納又は支持するための収納部又はその近傍に設置するための設置部と、
前記設置部の少なくとも一部に設けられ、前記収納部側の突出部と係合して前記収納部に装着可能とする引掛部と、
前記袋状部材の一方側の面を接触させた状態で前記袋状部材を引き出すことにより前記袋状部材の前記開口端にずれを生じさせる接触部と、
を有する袋状部材開封装置であって、
前記設置部は、高硬度（例えば４０度〜１００度）の材質で構成され、
前記接触部は、低硬度（例えば１度〜５０度）の材質で構成され、
前記袋状部材が前記収納部から引き出されるときに、前記接触部が前記袋状部材の一方側の面に接触するとともに、当該接触状態を維持したまま、前記袋状部材が引き出されることにより、前記袋状部材の一方側の面と前記接触部との間に前記袋状部材の引出方向とは逆方向に作用する摩擦力が発生して、前記袋状部材の一方側の面と他方側の面とが相対移動して前記開口端が開口することを特徴とする袋状部材開封装置。
【請求項３】
前記接触部の硬度は、１度〜３０度であることを特徴とする請求項１又は２に記載の袋状部材開封装置。
【請求項４】
前記接触部は、前記袋状部材に当接する角部を有することを特徴とする請求項１乃至３のいずれか１項に記載の袋状部材開封装置。
【請求項５】
前記接触部は、前記袋状部材に当接し、弾性変形可能な突片部を有することを特徴とする請求項１乃至４のいずれか１項に記載の袋状部材開封装置。
【請求項６】
前記設置部は、磁石を有することを特徴とする請求項１乃至５のいずれか１項に記載の袋状部材開封装置。
【請求項７】
前記設置部は、所定の角度で開く一対のベース部と、前記ベース部の開き角度を調整する角度調整部と、を有することを特徴とする請求項２乃至５のいずれか１項に記載の袋状部材開封装置。
【請求項８】
前記角度調整部は、一方の前記ベース部に設けられた挿入部と、他方の前記ベース部に設けられ前記挿入部が挿入される孔部と、で構成されたことを特徴とする請求項７に記載の袋状部材開封装置。
【手続補正２】
【補正対象書類名】明細書
【補正対象項目名】０００７
【補正方法】変更
【補正の内容】
【０００７】
第１の発明は、開口端を有する袋状部材を収納又は支持するための収納部又はその近傍に設置するための設置部と、前記設置部の少なくとも一部に形成され、前記収納部側の突出部を挿入して前記収納部に装着可能とする挿入開口部と、前記袋状部材の一方側の面を接触させた状態で前記袋状部材を引き出すことにより前記袋状部材の前記開口端にずれを生じさせる接触部と、を有する袋状部材開封装置であって、前記設置部は、高硬度（例えば４０度〜１００度）の材質で構成され、前記接触部は、低硬度（例えば１度〜５０度）の材質で構成され、前記袋状部材が前記収納部から引き出されるときに、前記接触部が前記袋状部材の一方側の面に接触するとともに、当該接触状態を維持したまま、前記袋状部材が引き出されることにより、前記袋状部材の一方側の面と前記接触部との間に前記袋状部材の引出方向とは逆方向に作用する摩擦力が発生して、前記袋状部材の一方側の面と他方側の面とが相対移動して前記開口端が開口することを特徴とする。
第２の発明は、開口端を有する袋状部材を収納又は支持するための収納部又はその近傍に設置するための設置部と、前記設置部の少なくとも一部に設けられ、前記収納部側の突出部と係合して前記収納部に装着可能とする引掛部と、前記袋状部材の一方側の面を接触させた状態で前記袋状部材を引き出すことにより前記袋状部材の前記開口端にずれを生じさせる接触部と、を有する袋状部材開封装置であって、前記設置部は、高硬度（例えば４０度〜１００度）の材質で構成され、前記接触部は、低硬度（例えば１度〜５０度）の材質で構成され、前記袋状部材が前記収納部から引き出されるときに、前記接触部が前記袋状部材の一方側の面に接触するとともに、当該接触状態を維持したまま、前記袋状部材が引き出されることにより、前記袋状部材の一方側の面と前記接触部との間に前記袋状部材の引出方向とは逆方向に作用する摩擦力が発生して、前記袋状部材の一方側の面と他方側の面とが相対移動して前記開口端が開口することを特徴とする。
【手続補正書】
【提出日】平成28年12月1日(2016.12.1)
【手続補正１】
【補正対象書類名】特許請求の範囲
【補正対象項目名】全文
【補正方法】変更
【補正の内容】
【特許請求の範囲】
【請求項１】
開口端を有する袋状部材を収納又は支持するための収納部又はその近傍に設置するための設置部と、
前記設置部の少なくとも一部に形成され、前記収納部側の突出部を挿入して前記収納部に装着可能とする挿入開口部と、
前記袋状部材の一方側の面を接触させた状態で前記袋状部材を引き出すことにより前記袋状部材の前記開口端にずれを生じさせる接触部と、
を有する袋状部材開封装置であって、
前記設置部は、高硬度（例えばゴム硬度:４０度〜１００度）のゴム類で構成され、
前記接触部は、低硬度（例えばゴム硬度：１度〜５０度）のゴム類で構成され、
前記袋状部材が前記収納部から引き出されるときに、前記接触部が前記袋状部材の一方側の面に接触するとともに、当該接触状態を維持したまま、前記袋状部材が引き出されることにより、前記袋状部材の一方側の面と前記接触部との間に前記袋状部材の引出方向とは逆方向に作用する摩擦力が発生して、前記袋状部材の一方側の面と他方側の面とが相対移動して前記開口端が開口することを特徴とする袋状部材開封装置。
【請求項２】
開口端を有する袋状部材を収納又は支持するための収納部又はその近傍に設置するための設置部と、
前記設置部の少なくとも一部に設けられ、前記収納部側の突出部と係合して前記収納部に装着可能とする引掛部と、
前記袋状部材の一方側の面を接触させた状態で前記袋状部材を引き出すことにより前記袋状部材の前記開口端にずれを生じさせる接触部と、
を有する袋状部材開封装置であって、
前記設置部は、高硬度（例えばゴム硬度：４０度〜１００度）のゴム類で構成され、
前記接触部は、低硬度（例えばゴム硬度：１度〜５０度）のゴム類で構成され、
前記袋状部材が前記収納部から引き出されるときに、前記接触部が前記袋状部材の一方側の面に接触するとともに、当該接触状態を維持したまま、前記袋状部材が引き出されることにより、前記袋状部材の一方側の面と前記接触部との間に前記袋状部材の引出方向とは逆方向に作用する摩擦力が発生して、前記袋状部材の一方側の面と他方側の面とが相対移動して前記開口端が開口することを特徴とする袋状部材開封装置。
【請求項３】
前記接触部は、前記袋状部材に当接する角部を有することを特徴とする請求項１又は２に記載の袋状部材開封装置。
【請求項４】
前記接触部は、前記袋状部材に当接し、弾性変形可能な突片部を有することを特徴とする請求項１乃至３のいずれか１項に記載の袋状部材開封装置。
【請求項５】
前記設置部は、磁石を有することを特徴とする請求項１乃至４のいずれか１項に記載の袋状部材開封装置。
【請求項６】
前記設置部は、所定の角度で開く一対のベース部と、前記ベース部の開き角度を調整する角度調整部と、を有することを特徴とする請求項２乃至４のいずれか１項に記載の袋状部材開封装置。
【請求項７】
前記角度調整部は、一方の前記ベース部に設けられた挿入部と、他方の前記ベース部に設けられ前記挿入部が挿入される孔部と、で構成されたことを特徴とする請求項６に記載の袋状部材開封装置。
【手続補正２】
【補正対象書類名】明細書
【補正対象項目名】０００７
【補正方法】変更
【補正の内容】
【０００７】
第１の発明は、開口端を有する袋状部材を収納又は支持するための収納部又はその近傍に設置するための設置部と、前記設置部の少なくとも一部に形成され、前記収納部側の突出部を挿入して前記収納部に装着可能とする挿入開口部と、前記袋状部材の一方側の面を接触させた状態で前記袋状部材を引き出すことにより前記袋状部材の前記開口端にずれを生じさせる接触部と、を有する袋状部材開封装置であって、前記設置部は、高硬度（例えばゴム硬度:４０度〜１００度）のゴム類で構成され、前記接触部は、低硬度（例えばゴム硬度:１度〜５０度）のゴム類で構成され、前記袋状部材が前記収納部から引き出されるときに、前記接触部が前記袋状部材の一方側の面に接触するとともに、当該接触状態を維持したまま、前記袋状部材が引き出されることにより、前記袋状部材の一方側の面と前記接触部との間に前記袋状部材の引出方向とは逆方向に作用する摩擦力が発生して、前記袋状部材の一方側の面と他方側の面とが相対移動して前記開口端が開口することを特徴とする。
第２の発明は、開口端を有する袋状部材を収納又は支持するための収納部又はその近傍に設置するための設置部と、前記設置部の少なくとも一部に設けられ、前記収納部側の突出部と係合して前記収納部に装着可能とする引掛部と、前記袋状部材の一方側の面を接触させた状態で前記袋状部材を引き出すことにより前記袋状部材の前記開口端にずれを生じさせる接触部と、を有する袋状部材開封装置であって、前記設置部は、高硬度（例えばゴム硬度:４０度〜１００度）のゴム類で構成され、前記接触部は、低硬度（例えばゴム硬度:１度〜５０度）のゴム類で構成され、前記袋状部材が前記収納部から引き出されるときに、前記接触部が前記袋状部材の一方側の面に接触するとともに、当該接触状態を維持したまま、前記袋状部材が引き出されることにより、前記袋状部材の一方側の面と前記接触部との間に前記袋状部材の引出方向とは逆方向に作用する摩擦力が発生して、前記袋状部材の一方側の面と他方側の面とが相対移動して前記開口端が開口することを特徴とする。